(57)【特許請求の範囲】
【請求項１】
光源ユニットが着脱可能に取り付けられる長尺の本体と、前記本体の長手方向に沿って配置され、前記光源ユニットから放射される光を反射する一対の反射板とを備え、
前記本体は、矩形板状のベース板と、前記ベース板の長手方向に沿った両側の端縁から垂れ下がる一対の側板とを有し、前記ベース板と前記一対の側板に囲まれた空間に、前記光源ユニットの少なくとも一部を収めるように構成され、
一対の前記反射板は、一面を反射面とする長尺の矩形板状の反射部と、前記反射部の長手方向に沿った一端縁から立ち上がる側壁部と、前記側壁部の長手方向に沿った先端縁から前記反射部と対向する向きに突出する突壁部とを有し、
前記本体は、前記突壁部を支える支持部を、一対の前記側板の先端部分にそれぞれ有するように構成されることを特徴とする照明器具。
【請求項２】
前記本体は、前記支持部を前記突壁部に結合させる１乃至複数の結合部を有することを特徴とする請求項１記載の照明器具。
【請求項３】
前記突壁部は、長手方向に沿った先端部分が前記反射部に近付く向きに曲げ起こされており、
前記支持部は、前記本体の長手方向から見てＵ字状に形成され、前記突壁部の前記先端部分を抱えるように構成されることを特徴とする請求項１又は２記載の照明器具。
【請求項４】
一対の前記側板は、長手方向に沿って階段状に折り曲げられて構成されることを特徴とする請求項１〜３の何れか１項に記載の照明器具。
【発明の詳細な説明】
【技術分野】
【０００１】
本発明は、照明器具に関し、特に反射板を備えて天井に配設される照明器具に関する。
【背景技術】
【０００２】
従来例として、特許文献１記載の照明器具を例示する。この従来例は、天井材に設けた埋込孔を通して天井裏に設置される天井埋込型の照明器具であり、吊ボルトを用いて天井裏に設置される支持部材と、支持部材に取り付けられる反射板と、反射板に対して着脱自在に取り付けられる光源ユニットとを備える。
【０００３】
光源ユニットは、２個のＬＥＤ基板と、ＬＥＤ基板が取り付けられる取付部材と、ＬＥＤ基板を覆うようにして取付部材に取り付けられるカバー部材と、ＬＥＤ基板に所定の点灯電力を供給する電源装置とを有する。ＬＥＤ基板は、前後方向に長い矩形板状に形成されたプリント基板からなり、プリント基板の下面には複数のＬＥＤ（発光ダイオード）が前後方向（長手方向）に沿って実装されている。
【０００４】
反射板は、板金に曲げ加工を施すことで長尺且つ下面が開口する扁平な箱状に形成される。反射板の底面部には、光源ユニットを収容するための矩形の収容凹部が反射板の全長に亘って設けられている。また、反射板の開口端縁には、側方に延出する鍔部が全周に亘って設けられており、天井裏に設置された支持部材に反射板を取り付けた状態では、鍔部が天井材の下面に接している。つまり、特許文献１記載の従来例では、反射板により器具本体が構成されている。
【先行技術文献】
【特許文献】
【０００５】
【特許文献１】特開２０１４−７８５１１号公報
【発明の概要】
【発明が解決しようとする課題】
【０００６】
ところで、特許文献１記載の従来例では、反射板が器具本体を兼ねており、強度を確保するために支持部材を介して吊りボルトに取り付けられている。例えば、部品点数を削減するため、支持部材を介さずに器具本体（反射板）を直接吊りボルトに取り付ける場合、器具本体の強度を確保するために、反射板に必要とされる板厚よりも大きい板厚の板材が必要となる。しかも、特許文献１記載の従来例は、器具本体を兼ねる反射板が大型にならざるを得ず、製造時や組立時に反射板が取り扱い難かった。
【０００７】
本発明は、上記課題に鑑みてなされたものであり、更なるコストダウンと製造時の作業性の向上を図ることを目的とする。
【課題を解決するための手段】
【０００８】
本発明の照明器具は、光源ユニットが着脱可能に取り付けられる長尺の本体と、前記本体の長手方向に沿って配置され、前記光源ユニットから放射される光を反射する一対の反射板とを備え、前記本体は、矩形板状のベース板と、前記ベース板の長手方向に沿った両側の端縁から垂れ下がる一対の側板とを有し、前記ベース板と前記一対の側板に囲まれた空間に、前記光源ユニットの少なくとも一部を収めるように構成され、一対の前記反射板は、一面を反射面とする長尺の矩形板状の反射部と、前記反射部の長手方向に沿った一端縁から立ち上がる側壁部と、前記側壁部の長手方向に沿った先端縁から前記反射部と対向する向きに突出する突壁部とを有し、前記本体は、前記突壁部を支える支持部を、一対の前記側板の先端部分にそれぞれ有するように構成されることを特徴とする。
【発明の効果】
【０００９】
本発明の照明器具は、更なるコストダウンと製造時の作業性の向上を図ることができるという効果がある。
【図面の簡単な説明】
【００１０】
【図１】本発明に係る照明器具の実施形態を示す分解斜視図である。
【図２】同上の分解斜視図である。
【図３】同上の斜視図である。
【図４】同上の斜視図である。
【図５】同上の断面図である。
【図６】同上における本体の断面図である。
【図７】同上における本体の一部省略した断面図である。
【図８】同上における反射板を示し、図８Ａは上面図、図８Ｂは側面図、図８Ｃは下面図、図８Ｄは側面図である。
【図９】同上における反射板の側面図である。
【図１０】同上における本体及び反射板ユニットの一部省略した半断面図である。
【発明を実施するための形態】
【００１１】
本発明に係る照明器具の実施形態について、図面を参照して詳細に説明する。ただし、以下の説明では、特に断りのない限り、図１において上下、左右、前後の各方向を規定する。
【００１２】
本実施形態の照明器具は、図１〜図５に示すように、光源ユニット６が着脱可能に取り付けられる長尺の本体１と、本体１の長手方向（左右方向）に沿って配置され、光源ユニット６から放射される光を反射する一対の反射板３とを備える。ただし、一対の反射板３は、一対のエンド板４と結合されて反射板ユニット２を構成することが好ましい。
【００１３】
本実施形態における光源ユニット６は、特許文献１記載の従来例における光源ユニットと共通の構成を有している。ただし、本実施形態の照明器具は、直管形のＬＥＤランプのような他の光源ユニットが本体１に着脱可能に取り付けられるように構成されても構わない。
【００１４】
光源ユニット６は、図１、図２及び図５に示すように、光源モジュール６０と、取付部材６１と、カバー６２と、係止金具６３と、取付ばね６４と、電源ユニット６５とを有することが好ましい。
【００１５】
光源モジュール６０は、長尺の矩形平板状に形成される基板６０１と、基板６０１の下面に実装される複数個の固体発光素子（発光ダイオード）６００とを有する。複数個の発光ダイオード６００は、基板６０１の下面における短手方向の中央に、長手方向に沿って等間隔且つ２列に並べて実装される（図５参照）。
【００１６】
取付部材６１は、板金に曲げ加工を施すことにより、長尺且つ矩形板状の底壁部６１０と、底壁部６１０の左右方向（短手方向）における両端から上下方向に延出する一対の側壁部６１１とを有する角樋状に形成されることが好ましい。底壁部６１０の下面の中央部に、光源モジュール６０が取り付けられる。なお、各側壁部６１１の先端には、外向き且つ円筒形に巻かれた円筒部６１２がそれぞれ全長に亘って設けられている。
【００１７】
カバー６２は、カバー本体６２０と、一対のカバーエンド６２１とで構成されることが好ましい。カバー本体６２０は、アクリル樹脂などの透光性を有する材料により、略半円筒形の主部６２００と、主部６２００の短手方向（前後方向）の両端部より互いに並行するように上向きに突出した一対の突壁部６２０１とが一体に形成されている。なお、各突壁部６２０１の先端（上端）には、図５に示すように、内向きに突出する突起部６２０２がそれぞれ一体に設けられている。また、主部６２００の短手方向の両端部には、主部６２００と連なるように各突壁部６２０１の外側まで延出された延出部６２０３がそれぞれ一体に形成されている。そして、カバー本体６２０は、各突壁部６２０１の突起部６２０２が、取付部材６１の各円筒部６１２に引っ掛かることにより、光源モジュール６０の下方を覆うように取付部材６１の下面側に取り付けられる（図５参照）。なお、カバー本体６２０は乳白色の拡散材が混入され、光源モジュール６０から放射される光を拡散させて照明空間へ照射するように構成されることが好ましい。
【００１８】
カバーエンド６２１は、カバー本体６２０と同じ材料で半円板状に形成され、カバー本体６２０及び取付部材６１の長手方向の両端に取り付けられる（図２参照）。
【００１９】
電源ユニット６５は、交流の電圧・電流を直流の電圧・電流に変換する電力変換回路や入力端子部、複数の出力端子部、信号端子部などが実装されたプリント配線板が金属製のケース６５０に収納されて構成される（図１参照）。電源ユニット６５は、取付部材６１の底壁部６１０の上面に、ねじ止めなどの適宜の方法で取り付けられる。ただし、入力端子部、出力端子部及び信号端子部は、端子台若しくはレセプタクルコネクタで構成されることが好ましい。
【００２０】
係止金具６３は、取付部材６１にねじ止めされる固定片６３０と、固定片６３０と一体に形成されて取付部材６１の側方（図１においては後方）に突出する係止片６３１とを有する。係止片６３１は、取付部材６１の外に飛び出した先端部分が下向きに折り曲げられている。
【００２１】
取付ばね６４は、コイル部６４０と、一対の腕６４１とを有するねじりコイルばねで構成される。取付ばね６４は、保持金具１５を介して、取付部材６１にコイル部６４０が保持される。また、取付ばね６４の一対の腕６４１のうちの片方の腕６４１は、保持金具１５に引っ掛けられる。そして、これらの係止金具６３及び取付ばね６４は、図１に示すように、取付部材６１の左右方向における両端寄りの位置に、それぞれ１組ずつ設けられる。
【００２２】
本体１は、図１及び図６に示すように、矩形板状のベース板１０と、ベース板１０の長手方向に沿った両側（前側及び後側）の端縁から垂れ下がる一対の側板１１とを有する。そして、本体１は、図５に示すように、ベース板１０と一対の側板１１に囲まれた空間に、光源ユニット６の少なくとも一部（電源ユニット６５及び取付部材６１）を収めるように構成される。ただし、ベース板１０と一対の側板１１とは、亜鉛鋼板などの金属板が曲げ加工されて一体に形成されることが好ましい。
【００２３】
ベース板１０には、電源ケーブルを通すための孔１００が長手方向（左右方向）におけるほぼ中央に設けられている（図２参照）。また、ベース板１０には、長手方向における両端寄りの位置に、吊りボルトを通すための孔１０１がそれぞれ設けられている。さらに、ベース板１０の下面には、電源ケーブルと電気的に接続される端子台１０２が取り付けられる（図２参照）。また、端子台１０２には中継ケーブルが電気的に接続される。そして、中継ケーブルが電源ユニット６５の入力端子部と電気的に接続されることにより、外部電源（商用の交流電源）から電源ユニット６５に交流電力が供給される。
【００２４】
ベース板１０の下面における長手方向の両端寄りの位置には、取付金具１４がそれぞれ取り付けられる（図２参照）。取付金具１４は、ベース部１４０と、起立部１４１と、引掛部１４２とを有する（図５参照）。ただし、ベース部１４０、起立部１４１及び引掛部１４２は、金属板が加工されることで一体に形成されることが好ましい。取付金具１４は、ベース板１０にベース部１４０が固定されることで本体１に取り付けられる。
【００２５】
側板１１の先端（下端）には、図６に示すように、Ｕ字形状の支持部１２が一体に設けられることが好ましい。また、側板１１は、長手方向に沿って階段状に折り曲げられて構成されることが好ましい。
【００２６】
反射板ユニット２は、一対の反射板３と、一対のエンド板４とで構成される。反射板３は、図８Ａ〜図８Ｄ及び図９に示すように、反射部３０と、側壁部３１と、突壁部３２とを有する。また、反射板３は、反射部３０の先端（下端）に枠部３３を有することが好ましい。反射部３０は、一面（下面）を反射面とする長尺の矩形板状に形成される。側壁部３１は、長尺の矩形板状であって、反射部３０の長手方向（左右方向）に沿った一端縁（上端縁）から立ち上がるように構成される。突壁部３２は、長尺の矩形板状であって、側壁部３１の長手方向に沿った先端縁（上端縁）から反射部３０と対向する向きに突出するように構成される。また、突壁部３２の先端部分は、長手方向に沿って、下向き且つ鈎形に折り曲げられている（図９参照）。枠部３３は、長手方向（左右方向）から見た形状がＬ字形であって、反射部３０の長手方向に沿った他端縁（下端縁）から外側に突出するように構成される。ただし、反射部３０、側壁部３１、突壁部３２及び枠部３３は、亜鉛鋼板などの金属板が曲げ加工されて一体に形成されることが好ましい。また、反射板３は、白色の塗料で塗装されることが好ましい。すなわち、反射部３０の反射面（下面）は、白色塗料の塗膜によって反射率の向上が図られることが好ましい。
【００２７】
エンド板４は、図４に示すように、台形状の壁部４０と、壁部４０の２つの斜辺からそれぞれ一対ずつ突出する結合片４１と、壁部４０の下端縁から外向きに突出する枠部４２とを有する。なお、枠部４２の周縁部分は上向きに立ち上がるように構成されている。ただし、壁部４０、結合片４１及び枠部４２は、亜鉛鋼板などの金属板によって一体に形成されることが好ましい。
【００２８】
而して、反射板ユニット２は、エンド板４の結合片４１と反射板３の反射部３０とがスポット溶接されることにより、矩形の枠状に形成される。そして、反射板ユニット２においては、図１及び図１０に示すように、一対の反射板３の側壁部３１同士が前後方向に対向するように配置される。
【００２９】
次に、本体１と反射板ユニット２を組み立てる手順を説明する。まず、作業者は、各反射板３の突壁部３２の先端を、長手方向の一端側から一対の支持部１２の内側にそれぞれ挿入する。そして、作業者は、反射板ユニット２に対して、本体１を長手方向に沿ってスライドさせる。ここで、側板１１の長手方向の両端には、図７に示すように、切り起こし片からなる結合部１３がそれぞれ設けられている。一方、反射板３の突壁部３２の先端部分には、図８Ｄに示すように、切欠３２０がそれぞれ設けられている。そして、作業者は、側板１１の結合部１３を、突壁部３２の切欠３２０にかしめることにより、反射板ユニット２（反射板３）に対して本体１を抜け止めし且つ固定する（図１０参照）。以上のような手順により、本体１と反射板ユニット２が組み立てられる。なお、結合部１３が切欠３２０にかしめられると、切欠３２０の部分の塗膜が剥がれ、結合部１３と突壁部３２が電気的に導通する。
【００３０】
続いて、本実施形態の照明器具の施工手順を説明する。施工者は、天井裏に先行配線された電源ケーブルを本体１の孔１００に挿通し、さらに室内側に露出する吊りボルトを孔１０１に通した後、吊りボルトにナットをねじ込んで本体１を吊りボルトに固定する。その後、施工者は、電源ケーブルを端子台１０２に電気的に接続し、さらに端子台１０２に電気的に接続されている中継ケーブルを電源ユニット６５の入力端子部に電気的に接続する。
【００３１】
そして、施工者は、後側の反射板３の側壁部３１に設けられた一対の挿通孔３１０（図１参照）に、光源ユニット６の係止金具６３の係止片６３１の先端を引っ掛けた後、取付ばね６４の腕６４１を、取付金具１４の引掛部１４２に引っ掛ける。最後に、施工者は、係止金具６３の係止片６３１を支点として光源ユニット６を持ち上げるように回転させる。すると、取付ばね６４の腕６４１が引掛部１４２に引っ掛かったままで元の状態に戻ることにより、取付ばね６４のばね力で光源ユニット６が本体１に保持される（図５参照）。以上のような手順で照明器具が天井に施工される。
【００３２】
従来技術で説明したように、特許文献１記載の従来例では、反射板が器具本体を兼ねており、強度を確保するために支持部材を介して吊りボルトに取り付けられているため、反射板が大型にならざるを得ず、製造時や組立時に反射板が取り扱い難かった。
【００３３】
これに対して本実施形態の照明器具は、本体１と一対の反射板３が別体（別部品）として構成され、従来例の反射板に比べて、本体１及び反射板３が小型化されるので、製造時や組立時において、本体１及び反射板３の取り扱いが容易になる。また、本体１と一対の反射板３が別体に構成されるため、例えば、本体１と反射板３とで異なる板厚の金属板を用いることが可能となる。故に、本実施形態の照明器具は、例えば、相対的に板厚の大きい金属板を用いることで本体１の強度を確保しつつ、相対的に板厚の小さい金属板を用いることで反射板３の軽量化及びコストダウンを図ることができる。しかも、本体１は、各側板１１に設けられる支持部１２で反射板３の突壁部３２をそれぞれ支持するように構成されるので、一対の反射板３がねじ止めされる場合と比較して、作業性の向上を図ることができる。
【００３４】
上述のように本実施形態の照明器具は、光源ユニット６が着脱可能に取り付けられる長尺の本体１と、本体１の長手方向に沿って配置され、光源ユニット６から放射される光を反射する一対の反射板３とを備える。本体１は、矩形板状のベース板１０と、ベース板１０の長手方向に沿った両側の端縁から垂れ下がる一対の側板１１とを有する。本体１は、ベース板１０と一対の側板１１に囲まれた空間に、光源ユニット６の少なくとも一部を収めるように構成される。一対の反射板３は、一面を反射面とする長尺の矩形板状の反射部３０と、反射部３０の長手方向に沿った一端縁から立ち上がる側壁部３１と、側壁部３１の長手方向に沿った先端縁から反射部３０と対向する向きに突出する突壁部３２とを有する。本体１は、突壁部３２を支える支持部１２を、一対の側板１１の先端部分にそれぞれ有するように構成される。
【００３５】
本実施形態の照明器具は上述のように構成されるので、本体１と一対の反射板３が１枚の金属板から一体に形成される場合と比較して、本体１及び反射板３の小型化、軽量化などが可能となる。その結果、本実施形態の照明器具は、従来例と比較して、更なるコストダウンと製造時の作業性の向上を図ることができる。
【００３６】
また、本実施形態の照明器具において、本体１は、支持部１２を突壁部３２に結合させる１乃至複数の結合部１３を有することが好ましい。
【００３７】
本実施形態の照明器具が上述のように構成されれば、本体１と各反射板３とを強固に結合させることができる。
【００３８】
さらに、本実施形態の照明器具において、突壁部３２は、長手方向に沿った先端部分が反射部３０に近付く向きに曲げ起こされることが好ましい。また、支持部１２は、本体１の長手方向から見てＵ字状に形成され、突壁部３２の前記先端部分を抱えるように構成されることが好ましい。
【００３９】
本実施形態の照明器具が上述のように構成されれば、反射板３を支持部１２に確実に支持させることができる。
【００４０】
また、本実施形態の照明器具において、一対の側板１１は、長手方向に沿って階段状に折り曲げられて構成されることが好ましい。
【００４１】
本実施形態の照明器具が上述のように構成されれば、側板１１の強度の向上を図ることができる。
【符号の説明】
【００４２】
１  本体
３  反射板
６  光源ユニット
１０  ベース板
１１  側板
１２  支持部
１３  結合部
３０  反射部
３１  側壁部
３２  突壁部
【図１】
0006350946.tif 000002
【図２】
0006350946.tif 000003
【図３】
0006350946.tif 000004
【図４】
0006350946.tif 000005
【図５】
0006350946.tif 000006
【図６】
0006350946.tif 000007
【図７】
0006350946.tif 000008
【図８】
0006350946.tif 000009
【図９】
0006350946.tif 000010
【図１０】
0006350946.tif 000011